(57)【要約】【課題】放電灯が不完全な接続状態にあるときと放電灯との接続が完全に外れているときを判別して誤動作を防止しつつ使い勝手を向上する。【解決手段】異常放電検出回路４１によって異常放電が検出されてから所定の待機時間が経過した後のインバータ回路ＩＮＶの出力電流に基づいて冷陰極蛍光灯３とインバータ回路ＩＮＶの接続状態、すなわち、不完全な接続状態にあるのか完全に外されているのかを制御部４０で判別する。そして、制御部４０は不完全な接続状態であればインバータ回路ＩＮＶを停止させ、不完全な接続状態でなければインバータ回路ＩＮＶを停止させないので、誤動作を防止しつつ使い勝手が向上する。【選択図】図１
2008186634.tif 000002
【特許請求の範囲】
【請求項１】
直流電圧を高周波交流電圧に変換して放電灯に供給するインバータ回路と、放電灯が正常に点灯しているときのインバータ回路の出力との差分に基づいてインバータ回路の出力端に生じている異常放電を検出する異常放電検出手段と、異常放電検出手段が異常放電を検出したら所定の待機時間のカウントを開始し当該待機時間のカウント終了後のインバータ回路の出力に基づいて放電灯とインバータ回路の接続状態を判断するとともに不完全な接続状態であればインバータ回路を停止させ、不完全な接続状態でなければインバータ回路を停止させない制御手段とを備えたことを特徴とする放電灯点灯装置。
【請求項２】
前記制御手段は、待機時間のカウント終了後にインバータ回路の出力電流が検出されないときに不完全な接続状態であると判断することを特徴とする請求項１記載の放電灯点灯装置。
【請求項３】
前記制御手段は、待機時間のカウント終了後にインバータ回路の出力電圧が所定値を超えているときに不完全な接続状態であると判断することを特徴とする請求項１記載の放電灯点灯装置。
【請求項４】
放電灯の累積点灯時間を計時する計時手段と、操作入力を受け付ける操作入力受付手段と、操作入力受付手段が操作入力を受け付けたときにインバータ回路の停止状態並びに計時手段による計時内容を初期化する初期化手段とを備えたことを特徴とする請求項１〜３の何れか１項に記載の放電灯点灯装置。
【請求項５】
初期化手段は、操作入力受付手段が操作入力を受け付けたときに異常放電検出手段の異常放電検出によりインバータ回路を停止していれば計時手段による計時内容を初期化せずにインバータ回路の停止状態のみを初期化することを特徴とする請求項４記載の放電灯点灯装置。
【請求項６】
放電灯が冷陰極蛍光灯であることを特徴とする請求項１〜５の何れか１項に記載の放電灯点灯装置。
【請求項７】
インバータ回路が自励発振型のプッシュプルインバータ回路からなることを特徴とする請求項１〜６の何れか１項に記載の放電灯点灯装置。
【請求項８】
請求項１〜７の何れか１項に記載の放電灯点灯装置と、商用電源の停電時に放電灯点灯装置に電源を供給する二次電池と、商用電源の非停電時に二次電池を充電する充電回路と、放電灯点灯装置、二次電池、充電回路を支持する器具本体とを備えたことを特徴とする照明器具。
【請求項９】
請求項４又は５記載の放電灯点灯装置と、商用電源の停電時に放電灯点灯装置に電源を供給する二次電池と、商用電源の非停電時に二次電池を充電する充電回路と、放電灯点灯装置、二次電池、充電回路を支持する器具本体とを備え、操作入力受付手段は、器具本体の内部に配置されたことを特徴とする照明器具。
【発明の詳細な説明】
【技術分野】
【０００１】
本発明は、放電灯点灯装置及び照明器具に関するものである。
【背景技術】
【０００２】
従来の放電灯点灯装置の一例を図７に示す。この従来装置は、冷陰極放電灯の一種である冷陰極蛍光灯を点灯するためのものであって、商用交流電源ＡＣの電源電圧（１００Ｖ）よりも低い脈流電圧に変換する電圧変換回路４ａと、電圧変換回路４ａで変換された脈流電圧を平滑する平滑回路４ｂと、平滑回路４ｂから出力される直流電圧によって二次電池４ｄを充電する充電回路４ｃと、平滑回路４ｂ又は二次電池４ｄから出力される直流電圧を商用電源周波数よりも高い周波数の交流電圧に変換するインバータ回路ＩＮＶと、通常時はインバータ回路ＩＮＶの入力端を平滑回路４ｂの出力端に接続し、商用交流電源ＡＣが停電したときにインバータ回路ＩＮＶの入力端を平滑回路４ｂの出力端から切り離して二次電池４ｄの両極に接続する切換スイッチ部Ｓとを備えている。かかる放電灯点灯装置は、例えば、誘導灯のような照明器具に搭載される。
【０００３】
インバータ回路ＩＮＶは、例えば、図８に示すような自励発振型のプッシュプルインバータ回路で構成され、始動時にはトランスＴの２次側に接続されたバラストコンデンサＣ０を介して高電圧（始動電圧）を印加することにより冷陰極蛍光灯３を始動し、始動後はバラストコンデンサＣ０が限流要素となって略一定の高周波交流電流を冷陰極蛍光灯３に供給できるものである。また、インバータ回路ＩＮＶに供給する直流電圧を調整したり、あるいは直流電圧を数１０〜数１００Ｈｚの周波数で断続すれば、冷陰極蛍光灯３を調光することも可能である。但し、このように自励発振型のプッシュプルインバータ回路は従来周知であるから、詳細な構成並びに動作説明は省略する。
【０００４】
ところで、図８に示す回路構成においては、冷陰極蛍光灯３と放電灯点灯装置４の電気的な接続が解除された場合にインバータ回路ＩＮＶを停止する保護回路４ｅが設けられている。この保護回路４ｅはインバータ回路ＩＮＶから出力される電流を監視し、冷陰極蛍光灯３が接続されていないことで電流が流れなくなれば、切換スイッチ部Ｓを制御してインバータ回路ＩＮＶへの直流電圧の給電路を開放することでインバータ回路ＩＮＶを停止させるものである。しかしながら、冷陰極蛍光灯３と放電灯点灯装置４を電気的に接続しているコネクタ等にはインバータ回路ＩＮＶから出力される高電圧（例えば、数１００Ｖ〜２０００Ｖ（実効値）程度）が印加されるため、例えば、冷陰極蛍光灯３の電極（若しくは電極に接続された端子など）と放電灯点灯装置４の出力端子（若しくは出力端子に接続されたコネクタなど）が微少な距離を隔てて離れているような状態（以下、「不完全な接続状態」と呼ぶ。）になると火花放電やグロー放電などの異常放電が冷陰極蛍光灯３と放電灯点灯装置４との間に発生し、放電灯点灯装置４から冷陰極蛍光灯３へ電流が流れ続けてしまうことで保護回路４ｅが動作しない虞がある。
【０００５】
これに対して特許文献１には、異常放電時にインバータ回路の出力トランスの２次側に発生する放電パルスの周波数成分を検出してインバータ回路への電源供給を停止する保護回路が記載されている。また特許文献２には、インバータ回路の出力電流を検出する電流検出器を備え、電流検出器においてインバータ回路の発振周波数よりも高い放電ノイズ周波数成分が検出されたときに放電灯点灯装置を停止して異常放電の継続を防止する保護回路が記載されている。
【特許文献１】特許第３１２３１６１号公報
【特許文献２】特開２００２−１５１２８７号公報
【発明の開示】
【発明が解決しようとする課題】
【０００６】
しかしながら、上記特許文献１，２に記載されている保護回路では、何れも異常放電に伴って発生する「放電パルス」や「放電ノイズ」といった、インバータ回路の発振周波数よりも高い周波数成分を検出しているので、例えば、外来ノイズを放電パルスや放電ノイズと誤検出し、不完全な接続状態による異常放電が発生していないにもかかわらず放電灯点灯装置を停止して放電灯を消灯してしまう虞がある。特に上述のような誘導灯においては、保護回路４ｅの誤動作によって放電灯点灯装置４が停止してしまうと非常時における避難誘導に支障を来すので、このような誤動作を起こしてはならない。
【０００７】
そこで本出願人は、放電灯が正常点灯しているときのインバータ回路の出力電圧又は出力電流と、不完全な接続状態による異常放電が生じているときのインバータ回路の出力電圧又は出力電流との差分を検出して異常放電か否かを判別することで上述のような誤動作を防止する技術について既に提案している。しかしながら、かかる従来技術では異常放電が発生していると判断してインバータ回路を停止した後、不完全な接続状態が解消されないままで再びインバータ回路を動作させた場合、正常点灯時の出力電圧や出力電流が不明であるために異常放電が生じているか否かを判別することができない。したがって、一旦異常放電を検出して放電灯点灯装置が停止したときに、不完全な接続状態が解消されないままで安易に放電灯点灯装置の動作を再開することは避けなければならない。
【０００８】
しかしながら、照明器具としての使い勝手を考慮すれば、交換のために放電灯を取り外すことで放電灯点灯装置が停止した場合は、新しい放電灯を装着（接続）したとき、若しくは装着後の簡単な操作で放電灯点灯装置の動作を再開させて放電灯を始動・点灯できることが望ましい。
【０００９】
本発明は上記事情に鑑みて為されたものであり、その目的は、放電灯が不完全な接続状態にあるときと放電灯との接続が完全に外れているときを判別して誤動作を防止しつつ使い勝手を向上した放電灯点灯装置及び照明器具を提供することにある。
【課題を解決するための手段】
【００１０】
請求項１の発明は、上記目的を達成するために、直流電圧を高周波交流電圧に変換して放電灯に供給するインバータ回路と、放電灯が正常に点灯しているときのインバータ回路の出力との差分に基づいてインバータ回路の出力端に生じている異常放電を検出する異常放電検出手段と、異常放電検出手段が異常放電を検出したら所定の待機時間のカウントを開始し当該待機時間のカウント終了後のインバータ回路の出力に基づいて放電灯とインバータ回路の接続状態を判断するとともに不完全な接続状態であればインバータ回路を停止させ、不完全な接続状態でなければインバータ回路を停止させない制御手段とを備えたことを特徴とする。
【００１１】
請求項２の発明は、請求項１の発明において、前記制御手段は、待機時間のカウント終了後にインバータ回路の出力電流が検出されないときに不完全な接続状態であると判断することを特徴とする。
【００１２】
請求項３の発明は、請求項１の発明において、前記制御手段は、待機時間のカウント終了後にインバータ回路の出力電圧が所定値を超えているときに不完全な接続状態であると判断することを特徴とする。
【００１３】
請求項４の発明は、請求項１〜３の何れか１項の発明において、放電灯の累積点灯時間を計時する計時手段と、操作入力を受け付ける操作入力受付手段と、操作入力受付手段が操作入力を受け付けたときにインバータ回路の停止状態並びに計時手段による計時内容を初期化する初期化手段とを備えたことを特徴とする。
【００１４】
請求項５の発明は、請求項４の発明において、初期化手段は、操作入力受付手段が操作入力を受け付けたときに異常放電検出手段の異常放電検出によりインバータ回路を停止していれば計時手段による計時内容を初期化せずにインバータ回路の停止状態のみを初期化することを特徴とする。
【００１５】
請求項６の発明は、請求項１〜５の何れか１項の発明において、放電灯が冷陰極蛍光灯であることを特徴とする。
【００１６】
請求項７の発明は、請求項１〜６の何れか１項の発明において、インバータ回路が自励発振型のプッシュプルインバータ回路からなることを特徴とする。
【００１７】
請求項８の発明は、上記目的を達成するために、請求項１〜７の何れか１項に記載の放電灯点灯装置と、商用電源の停電時に放電灯点灯装置に電源を供給する二次電池と、商用電源の非停電時に二次電池を充電する充電回路と、放電灯点灯装置、二次電池、充電回路を支持する器具本体とを備えたことを特徴とする。
【００１８】
請求項９の発明は、上記目的を達成するために、請求項４又は５記載の放電灯点灯装置と、商用電源の停電時に放電灯点灯装置に電源を供給する二次電池と、商用電源の非停電時に二次電池を充電する充電回路と、放電灯点灯装置、二次電池、充電回路を支持する器具本体とを備え、操作入力受付手段は、器具本体の内部に配置されたことを特徴とする。
【発明の効果】
【００１９】
本発明によれば、異常放電検出手段によって異常放電が検出されてから所定の待機時間が経過した後のインバータ回路の出力に基づいて放電灯とインバータ回路の接続状態、すなわち、不完全な接続状態にあるのか完全に外されているのかを制御手段で判別することができ、また、制御手段は不完全な接続状態であればインバータ回路を停止させ、不完全な接続状態でなければインバータ回路を停止させないので、放電灯が不完全な接続状態にあるときと放電灯との接続が完全に外れているときを判別して誤動作を防止しつつ使い勝手を向上した放電灯点灯装置及び照明器具が提供できる。
【発明を実施するための最良の形態】
【００２０】
以下、従来技術で説明した冷陰極蛍光灯３を光源とする放電灯点灯装置４並びに誘導灯に本発明の技術思想を適用した実施形態について図面を参照して詳細に説明する。但し、本発明に係る放電灯点灯装置や照明器具は実施形態に限定されるものではなく、冷陰極蛍光灯以外の放電灯を光源とする放電灯点灯装置や誘導灯以外の照明器具にも本発明の技術思想が適用可能である。
【００２１】
（実施形態１）
本実施形態の誘導灯は、図４に示すように前面が開口した矩形箱状の器具本体１０と、器具本体１０の前面に取り付けられる表示ユニット２０と、冷陰極蛍光灯３を保持したランプホルダユニット３０とを備えた導光板式（若しくはパネル式と称される）の誘導灯である。器具本体１０の底面（図４における背面）には放電灯点灯装置４などが収納されている。また、表示ユニット２０は、表示パネル２１と、表示パネル２１の後面側に配設された導光板（図示せず）とを有し、導光板の上端縁に対向配置した冷陰極蛍光灯３からの光を導光板内での全反射により導光板の下端縁側に導きながら導光板の後面に設けた光拡散部に入射させ、光拡散部で拡散した光のうち、表示パネル２１へ向かう光を表示パネル２１の前方に出射するものである。また、ランプホルダユニット３０は、冷陰極蛍光灯３と反射板（図示せず）とこれらを保持するユニット本体たるランプホルダ３１とを備えており、表示ユニット２０が器具本体１０に取り付けられた状態において、この隙間をなくし表示ユニット２０と合わせて器具本体１０の前面開口を覆う形で器具本体１０の前面に着脱自在に取り付けられる。さらにランプホルダユニット３０は、ランプホルダ３１の長手方向両端に設けられた一対の支持台（図示せず）により直管形の放電灯である冷陰極蛍光灯３の両端部が支持され、冷陰極蛍光灯３の電極（図示せず）に接続され且つ両端部から突出したリード線（図示せず）にそれぞれ接続された接続端子３６，３６が後方に向かって突出している。
【００２２】
一方、器具本体１０において両側壁の上部の内側には、放電灯点灯装置４にそれぞれ電線（図示せず）を介して接続されランプホルダユニット３０の接続端子３６，３６が前方から挿入接続されるコネクタ５０，５０が配置されている。各コネクタ５０は直方体状に形成された絶縁性のカバー５０ａの長手方向の両端面に端子挿入口５０ｂが開口されており、カバー５０ａ内には、端子挿入口５０ｂに対応する部位に端子挿入口５０ｂから挿入された接続端子３６を受ける刃受（図示せず）が収納されている。従って、器具本体１０にランプホルダユニット３０を取り付けて接続端子３６，３６とコネクタ５０，５０を接続することで冷陰極蛍光灯３が放電灯点灯装置４と電気的に接続される。ここで、器具本体１０に対するランプホルダユニット３０の取付方によっては接続端子３６，３６とコネクタ５０，５０が不完全な接続状態となる場合があり、接続端子３６とコネクタ５０の刃受とが微少な距離を隔てて離れているような状況において、火花放電やグロー放電などの異常放電が接続端子３６とコネクタ５０（刃受）との間に発生し、放電灯点灯装置４から冷陰極蛍光灯３へ電流が流れ続けてしまうことがある。
【００２３】
ここで、冷陰極蛍光灯３が正常に点灯しているときのインバータ回路ＩＮＶの出力電圧は冷陰極蛍光灯３の両端電圧（以下、「ランプ電圧」と呼ぶ。）Ｖlaに等しくほぼ正弦波状の波形となるが、上述のように接続端子３６とコネクタ５０が不完全な接続状態となってコネクタ５０の刃受と接続端子３６との間で火花放電やグロー放電のような異常放電が発生すると、インバータ回路ＩＮＶの出力電圧（ランプ電圧Ｖla）に異常放電による電圧（以下、「異常放電電圧」と呼ぶ。）Ｖｇが重畳されて実効値並びにピーク値が何れも上昇することになる（図３参照）。従って、冷陰極蛍光灯３が正常点灯しているときのインバータ回路ＩＮＶの出力電圧（ランプ電圧Ｖla）に対する差分ΔＶが所定レベルを超えていれば、そのときはインバータ回路ＩＮＶの出力端で異常放電が発生しているとみなすことができる。
【００２４】
図１は本実施形態の放電灯点灯装置４を示す概略回路図である。なお、本実施形態の放電灯点灯装置４の基本構成は図８に示した従来例と共通であるから、共通の構成要素には同一の符号を付して説明を省略する。
【００２５】
本実施形態の放電灯点灯装置４は、冷陰極蛍光灯３が正常点灯しているときのインバータ回路ＩＮＶの出力電圧（ランプ電圧Ｖla）に対する差分ΔＶに基づいてインバータ回路ＩＮＶの出力端に生じている異常放電を検出する異常放電検出回路４１を備えている。異常放電検出回路４１は、図２（ａ）に示すようにインバータ回路ＩＮＶの出力電圧を分圧する抵抗Ｒ１，Ｒ２と、分圧抵抗Ｒ１，Ｒ２で分圧された電圧を整流するダイオードＤ１と、整流後の脈流電圧を平滑するコンデンサＣ１並びに抵抗Ｒ３の並列回路（積分回路）と、平滑された電圧から直流成分を除去するコンデンサＣ２と、コンデンサＣ２とグランドの間に直列接続された抵抗Ｒ４，Ｒ５と、抵抗Ｒ４，Ｒ５の接続点とグランドの間に挿入されたコンデンサＣ３と、抵抗Ｒ４，Ｒ５の接続点にベースが接続されるとともにエミッタがグランドに接続され且つコレクタが抵抗Ｒ６を介してプルアップされたトランジスタＱ３とを具備し、トランジスタＱ３のコレクタからローレベルの異常放電検出信号Ｖｓが出力される。すなわち、冷陰極蛍光灯３が正常点灯している場合は積分回路で積分された電圧がほぼ直流成分のみとなるためにコンデンサＣ２で阻止されてトランジスタＱ３のベースに電圧が印加されず、トランジスタＱ３がオンしないからコレクタが抵抗Ｒ６を介してプルアップされてハイレベルとなって異常放電検出信号Ｖｓが出力されないが、異常放電が発生して放電電圧Ｖｇがインバータ回路ＩＮＶの出力電圧に重畳された時点で正常時の出力電圧との間に差分ΔＶが生じるから、当該差分ΔＶに応じた電圧がコンデンサＣ２を通過し、抵抗Ｒ４，Ｒ５並びにコンデンサＣ３で平滑されてトランジスタＱ３のベースに印加されトランジスタＱ３がオンすることでコレクタがローレベルに変化して異常放電検出信号Ｖｓが出力される。
【００２６】
異常放電検出回路４１から出力された異常放電検出信号Ｖｓは制御部４０に入力される。また制御部４０には電流検出回路４２から検出信号Ｖｘが入力されている。この電流検出回路４２は、図２（ｂ）に示すようにインバータ回路ＩＮＶの出力端とコネクタ５０の刃受との間に挿入された検出抵抗Ｒｓと、インバータ回路ＩＮＶの出力電流（以下、「ランプ電流」と呼ぶ。）Ｉlaに比例した検出抵抗Ｒｓの両端電圧を整流するダイオードＤ２と、整流後の脈流電圧を平滑するコンデンサＣ４並びに抵抗Ｒ７の並列回路と、平滑された電圧を分圧する抵抗Ｒ８，Ｒ９とを具備し、抵抗Ｒ８，Ｒ９で分圧された検出信号（ランプ電流Ｉlaに比例した電圧信号）Ｖｘを制御部４０に出力している。
【００２７】
ここで、冷陰極蛍光灯３を交換するためにランプホルダユニット３０を器具本体１０から取り外す際にも一時的に接続端子３６とコネクタ５０の刃受が不完全な接続状態となって異常放電が発生する場合がある。そして、このような場合においてはランプホルダユニット３０を器具本体１０から取り外すのに要する時間を経過したら、接続端子３６とコネクタ５０の刃受の距離が拡がって異常放電が生じなくなり、その結果、ランプ電流Ｉlaも流れなくなる。
【００２８】
そこで本実施形態では、ローレベルの異常放電検出信号Ｖｓが入力された制御部４０がタイマ（図示せず）を起動して所定の待機時間のカウントを開始し、タイマによる待機時間のカウントが終了したら電流検出回路４２から入力される検出信号Ｖｘによってランプ電流Ｉlaが流れているか否かを調べ、ランプ電流Ｉlaが流れていれば異常放電が発生していると判断して切換スイッチ部Ｓを制御してインバータ回路ＩＮＶへの直流電圧の給電路を開放することでインバータ回路ＩＮＶを停止させるが、ランプ電流Ｉlaが流れていなければ冷陰極蛍光灯３が完全に外されたと判断して切換スイッチ部Ｓをオンのままとしインバータ回路ＩＮＶを引き続き動作させる。なお、ランプホルダユニット３０を器具本体１０から取り外すときの作業時間に基づいて待機時間を設定すればよい。
【００２９】
上述のように本実施形態によれば、異常放電検出回路４１によって異常放電が検出されてから所定の待機時間が経過した後のインバータ回路ＩＮＶの出力（出力電流）に基づいて冷陰極蛍光灯３とインバータ回路ＩＮＶの接続状態（接続端子３６とコネクタ５０の刃受の接続状態）、すなわち、不完全な接続状態にあるのか完全に外されているのかを制御部４０で判別することができ、また、制御部４０は不完全な接続状態であればインバータ回路ＩＮＶを停止させ、不完全な接続状態でなければインバータ回路ＩＮＶを停止させないので、例えば、冷陰極蛍光灯３を交換する際にはインバータ回路ＩＮＶが停止しないから、誤動作を防止しつつ使い勝手を向上することができる。
【００３０】
ところで、従来技術で説明したように異常放電が発生していると判断してインバータ回路ＩＮＶを停止した後、冷陰極蛍光灯３とインバータ回路ＩＮＶの不完全な接続状態が解消されないままで再びインバータ回路ＩＮＶを動作させた場合、インバータ回路ＩＮＶの出力電圧には最初から異常放電による放電電圧Ｖｇが重畳されてしまうために正常時の電圧との差分ΔＶが生じず、異常放電検出回路４１において異常放電を検出することができない。したがって、一旦異常放電を検出してインバータ回路ＩＮＶを停止したときに、不完全な接続状態が解消されないままで安易にインバータ回路ＩＮＶの動作を再開することは避けなければならない。
【００３１】
そこで、放電灯点灯装置４に操作入力を受け付ける操作入力受付手段としての押釦スイッチＳＷを設け（図４参照）、この押釦スイッチＳＷが押操作されて操作入力が受け付けられないかぎりは制御部４０が切換スイッチ部Ｓをオフからオンに切り換えてインバータ回路ＩＮＶの停止状態を初期化しないためにインバータ回路ＩＮＶを再度動作させることができないようにしている。すなわち、押釦スイッチＳＷを押操作するためにはランプホルダユニット３０を器具本体１０から取り外した後に表示ユニット２０を器具本体１０から取り外す必要があるので、押釦スイッチＳＷが押操作される際に必然的に冷陰極蛍光灯３とインバータ回路ＩＮＶ（接続端子３６とコネクタ５０の刃受）の不完全な接続状態が解除され、インバータ回路ＩＮＶが動作を再開したときに異常放電が発生するのを防ぐことができる。
【００３２】
また、冷陰極蛍光灯３の累積点灯時間を計時する計時手段（タイマ）を制御部４０に具備し、累積点灯時間によって冷陰極蛍光灯３の寿命を判断するとともに冷陰極蛍光灯３が寿命末期になれば発光ダイオード等からなる報知ランプ（図示せず）を点灯して冷陰極蛍光灯３の交換を促すようにしているが、冷陰極蛍光灯３の交換時にタイマによる累積点灯時間のカウント値を初期化する必要がある。そこで、上述の押釦スイッチＳＷが押操作されたときに制御部４０が累積点灯時間のカウント値を初期化すれば、別途、累積点灯時間のカウント値を初期化するためのスイッチを設けなくても済み、部品の共用化によるコストダウンが図れる。但し、異常放電検出によるインバータ回路ＩＮＶの停止状態を初期化する場合、冷陰極蛍光灯３が交換されないから累積点灯時間のカウント値を初期化することは望ましくない。そこで、初期化手段たる制御部４０では、押釦スイッチＳＷが押操作されたときに、異常放電検出に基づいてインバータ回路ＩＮＶを停止している状態であれば累積点灯時間のカウント値を初期化せずにインバータ回路ＩＮＶの停止状態のみを初期化し、インバータ回路ＩＮＶを停止していなければ累積点灯時間のカウント値とインバータ回路ＩＮＶの停止状態の両方を初期化するようにしている。
【００３３】
（実施形態２）
図５は本実施形態の放電灯点灯装置４を示す概略回路図である。なお、本実施形態は電流検出回路４２の代わりにインバータ回路ＩＮＶの出力端間の電圧を検出する電圧検出回路４３を備えた点に特徴があり、その他の構成は実施形態１と共通であるから、共通の構成要素には同一の符号を付して説明を省略する。
【００３４】
実施形態１で説明したように、接続端子３６とコネクタ５０が不完全な接続状態となってコネクタ５０の刃受と接続端子３６との間で火花放電やグロー放電のような異常放電が発生するとインバータ回路ＩＮＶの出力電圧の実効値並びにピーク値が何れも上昇することになる（図３参照）。図６は接続端子３６とコネクタ５０の刃受との間の距離（以下、「放電距離」と呼ぶ。）Ｇに応じたインバータ回路ＩＮＶの出力電圧Ｖｏの変化の様子を示しており、放電距離Ｇが限界値Ｇｍを超えるまではインバータ回路ＩＮＶの出力電圧Ｖｏが徐々に上昇するが、放電距離Ｇが限界値Ｇｍを超えると異常放電が維持されなくなるためにインバータ回路ＩＮＶの出力電圧Ｖｏが開放電圧（無負荷電圧）まで一気に上昇することになる。したがって、インバータ回路ＩＮＶの出力電圧Ｖｏが放電距離Ｇの限界値Ｇｍに対応する電圧と無負荷電圧の間に設定した閾値電圧Ｖｒを超えるか否かで異常放電が発生しているか否かを判断することができる。
【００３５】
而して、ローレベルの異常放電検出信号Ｖｓが入力された制御部４０がタイマを起動して所定の待機時間のカウントを開始し、タイマによる待機時間のカウントが終了したら電圧検出回路４３の検出電圧に基づいてインバータ回路ＩＮＶの出力電圧Ｖｏが閾値電圧Ｖｒを超えているか否かを調べ、インバータ回路ＩＮＶの出力電圧Ｖｏが閾値電圧Ｖｒを超えていなければ異常放電が発生していると判断して切換スイッチ部Ｓを制御してインバータ回路ＩＮＶへの直流電圧の給電路を開放することでインバータ回路ＩＮＶを停止させる。一方、インバータ回路ＩＮＶの出力電圧Ｖｏが閾値電圧Ｖｒを超えていれば、制御部４０は冷陰極蛍光灯３が完全に外されたと判断して切換スイッチ部Ｓをオンのままとしインバータ回路ＩＮＶを引き続き動作させる。なお、ランプホルダユニット３０を器具本体１０から取り外すときの作業時間に基づいて待機時間を設定すればよい。
【００３６】
上述のように本実施形態によれば実施形態１と同様に、異常放電検出回路４１によって異常放電が検出されてから所定の待機時間が経過した後のインバータ回路ＩＮＶの出力（出力電圧）に基づいて冷陰極蛍光灯３とインバータ回路ＩＮＶの接続状態（接続端子３６とコネクタ５０の刃受の接続状態）、すなわち、不完全な接続状態にあるのか完全に外されているのかを制御部４０で判別することができ、また、制御部４０は不完全な接続状態であればインバータ回路ＩＮＶを停止させ、不完全な接続状態でなければインバータ回路ＩＮＶを停止させないので、誤動作を防止しつつ使い勝手を向上することができる。なお、制御部４０により異常放電が発生していると判断してインバータ回路ＩＮＶを停止した後の処理については、実施形態１と共通であるから説明を省略する。
【図面の簡単な説明】
【００３７】
【図１】本発明に係る放電灯点灯装置の実施形態１を示す概略回路構成図である。
【図２】（ａ）は同上における異常放電検出回路の回路構成図、（ｂ）は同上における電流検出回路の回路構成図である。
【図３】同上における異常放電が発生したときの動作説明図である。
【図４】本発明に係る照明器具（誘導灯）の分解斜視図である。
【図５】本発明に係る放電灯点灯装置の実施形態２を示す概略回路構成図である。
【図６】同上における異常放電が発生したときの動作説明図である。
【図７】従来の放電灯点灯装置を示す回路ブロック図である。
【図８】同上の概略回路構成図である。
【符号の説明】
【００３８】
３  冷陰極蛍光灯（冷陰極放電灯）
４  放電灯点灯装置
４０  制御部（制御手段）
４１  異常放電検出回路（異常放電検出手段）
４２  電流検出回路
Ｓ  切換スイッチ部
ＩＮＶ  インバータ回路
【図１】
2008186634.tif 000003
【図２】
2008186634.tif 000004
【図３】
2008186634.tif 000005
【図４】
2008186634.tif 000006
【図５】
2008186634.tif 000007
【図６】
2008186634.tif 000008
【図７】
2008186634.tif 000009
【図８】
2008186634.tif 000010